(57)【要約】【課題】大引や根太などの床下地材やフロアボードなどを支持することが出来る、操作性に優れた床材支持装置を提供する。【解決手段】支柱部３は、設置用基板部２側の支柱本体部６と、この支柱本体部６の上端から連設された二つ割円筒部７とから構成され、二つ割円筒部７を構成する直径方向一対の半円筒状部材９ａ，９ｂは、上端側ほど互いに離れるように傾斜した開き状態に形成されたもので、その上端部１６の内面に、両半円筒状部材９ａ，９ｂが弾性に抗して閉じた状態にあるときに垂直ネジ孔部１７を形成するネジ溝１６ａが設けられ、螺軸４は、開き状態にある半円筒状部材９ａ，９ｂ間に、回転せずに昇降可能に挿入され、半円筒状部材９ａ，９ｂを、開き状態と閉じ状態の何れかに択一的に切り換える、二つ割円筒部状態切換え手段８が設けられている。【選択図】図３
2018096047.tif 000002
【特許請求の範囲】
【請求項１】
設置用基板部、この設置用基板部上に立設された支柱部、この支柱部上端の垂直ネジ孔部に螺嵌される螺軸、及びこの螺軸の上端に設けられた床材支持部から成る床材支持装置において、前記支柱部は、前記設置用基板部側の支柱本体部と、この支柱本体部の上端から連設された二つ割円筒部とから構成され、この二つ割円筒部を構成する直径方向一対の半円筒状部材は、上端側ほど互いに離れるように傾斜した開き状態に形成されたもので、この一対の半円筒状部材の上端部の円弧形内面に、この一対の半円筒状部材が弾性に抗して閉じた閉じ状態にあるときに前記垂直ネジ孔部を形成するネジ溝が設けられ、前記螺軸は、前記開き状態にある一対の半円筒状部材間に、回転せずに昇降可能に挿入され、前記一対の半円筒状部材を、前記開き状態と前記閉じ状態の何れかに択一的に切り換える、二つ割円筒部状態切換え手段が設けられている、床材支持装置。
【請求項２】
前記二つ割円筒部状態切換え手段が、前記一対の半円筒状部材の内の一方の半円筒状部材の左右両側辺から他方の半円筒状部材ある側に連設した一対の軸受け板部間に起伏自在に軸支されたカムレバーを備え、このカムレバーには、前記他方の半円筒状部材の表面に隣接するカム面部が設けられ、前記カムレバーを前記支柱部から横側方に突出する起立姿勢から一定角度だけ下方に倒伏した倒伏姿勢にあるときに、前記カム面部が前記他方の半円筒状部材の表面に圧接して、一対の半円筒状部材を前記閉じ状態に保持するように構成されている、請求項１に記載の床材支持装置。
【請求項３】
前記二つ割円筒部状態切換え手段は、前記一対の半円筒状部材の前記ネジ溝が前記螺軸に圧接して螺軸をロックするロック状態にも切り換え可能に構成されている、請求項１に記載の床材支持装置。
【請求項４】
前記二つ割円筒部状態切換え手段が、前記一対の半円筒状部材の内の一方の半円筒状部材の左右両側辺から他方の半円筒状部材ある側に連設した一対の軸受け板部間に起伏自在に軸支されたカムレバーを備え、このカムレバーには、前記他方の半円筒状部材の表面に隣接するカム面部が設けられ、このカム面部には、前記カムレバーの回転中心からの半径が小さい第一カム面と、前記カムレバーの回転中心からの半径が大きい第二カム面とが設けられ、前記カムレバーを前記支柱部から横側方に突出する起立姿勢から一定角度だけ下方に倒伏した第一倒伏姿勢にあるときに、前記第一カム面が前記他方の半円筒状部材の表面に圧接して、一対の半円筒状部材を前記閉じ状態に保持し、前記カムレバーを前記第一倒伏姿勢から更に下方へ倒伏させた第二倒伏姿勢にあるときには、前記第二カム面が前記他方の半円筒状部材の表面に圧接して、一対の半円筒状部材を前記ロック状態に保持するように構成されている、請求項３に記載の床材支持装置。
【請求項５】
前記カムレバーは、天板部と、この天板部から下方へ折曲連設された左右一対の側板部とを有し、前記カム面部は、前記左右一対の側板部の内端面で構成され、前記他方の半円筒状部材には、前記カムレバーの左右一対の側板部の内端カム面部に隣接する張出し板部が連設されている、請求項２又は４に記載の床材支持装置。
【請求項６】
前記支柱部の二つ割円筒部を構成している一対の半円筒状部材は、前記設置用基板部まで延設されると共に、両半円筒状部材が合わさった状態で互いに連結一体化されることにより、前記設置用基板部側ほど直径が太くなる円筒状の前記支柱本体部も構成している、請求項１〜５の何れか１項に記載の床材支持装置。
【請求項７】
前記一対の半円筒状部材の下端から互いに遠ざかる水平方向に延出する水平板部が一体に連設され、この一対の半円筒状部材の下端の水平板部によって前記設置用基板部が形成されている、請求項６に記載の床材支持装置。
【請求項８】
前記支柱本体部を形成している前記一対の半円筒状部材には、左右両側に延出して互いに対接する張出し側板部が設けられ、この互いに対接する張出し側板部の内の一方の張出し側板部の側辺には切欠き凹部が形成され、他方の張出し側板部には、前記切欠き凹部に嵌合すると共に前記一方の張出し側板部を挟み込んで固定する折り返し舌片部が連設されている、請求項６又は７に記載の床材支持装置。
【発明の詳細な説明】
【技術分野】
【０００１】
本発明は、大引や根太などの床下地材やフロアボードなどを支持する、床束と称される床材支持装置に関するものである。
【背景技術】
【０００２】
この種の床材支持装置は、特許文献１に記載されるように、スラブや束石などの支持面上に設置される設置用基板部、この設置用基板部上に立設された支柱部、この支柱部上端の垂直ネジ孔部に螺嵌される螺軸、及びこの螺軸の上端に設けられた床材支持部から成るものが知られている。
【先行技術文献】
【特許文献】
【０００３】
【特許文献１】特開２００３−１２０００２号公報
【発明の概要】
【発明が解決しようとする課題】
【０００４】
上記特許文献１に記載されるような従来の床材支持装置では、設置用基板部から床材支持部までの全高が、この床材支持装置で支持させる大引や根太などの支持高さより若干低くなる程度まで、予め螺軸を回転操作して変えておく必要があるが、この調整高さが大きい場合に螺軸を多数回手作業で回転操作しなければならず、この準備作業に多大の手間と時間を要する。又、床材支持部で大引や根太などを希望する高さで支持させた後に、弛み止めナットを締め付ける操作が必要になり、この弛み止め操作にも多大の手間と時間を要するという問題点があった。
【課題を解決するための手段】
【０００５】
本発明は、上記のような従来の問題点を解消することのできる床材支持装置を提案するものであって、本発明に係る床材支持装置は、後述する実施例との関係を理解し易くするために、当該実施例の説明において使用した参照符号を括弧付きで付して示すと、設置用基板部(2)、この設置用基板部(2)上に立設された支柱部(3)、この支柱部(3)上端の垂直ネジ孔部(17)に螺嵌される螺軸(4)、及びこの螺軸(4)の上端に設けられた床材支持部(5)から成る床材支持装置において、前記支柱部(3)は、前記設置用基板部(2)側の支柱本体部(6)と、この支柱本体部(6)の上端から連設された二つ割円筒部(7)とから構成され、この二つ割円筒部(7)を構成する直径方向一対の半円筒状部材(9a,9b)は、上端側ほど互いに離れるように傾斜した開き状態に形成されたもので、この一対の半円筒状部材(9a,9b)の上端部の円弧形内面（縮径上端部(16)の内面）に、この一対の半円筒状部材(9a,9b)が弾性に抗して閉じた閉じ状態にあるときに前記垂直ネジ孔部(17)を形成するネジ溝(16a)が設けられ、前記螺軸(4)は、前記開き状態にある一対の半円筒状部材(9a,9b)間に、回転せずに昇降可能に挿入され、前記一対の半円筒状部材(9a,9b)を、前記開き状態と前記閉じ状態の何れかに択一的に切り換える、二つ割円筒部状態切換え手段(8)が設けられた構成になっている。
【発明の効果】
【０００６】
上記本発明の構成によれば、設置用基板部から床材支持部までの高さを、使用する場所での大引や根太の支持高さより若干低い高さに調整するときは、二つ割円筒部状態切換え手段によって、前記一対の半円筒状部材を前記開き状態に切り換えておくことにより、前記螺軸を回転させることなく、当該螺軸を前記支柱部の二つ割円筒部に対して出し入れして簡単迅速に調整することが出来る。この調整後に前記一対の半円筒状部材を、前記二つ割円筒部状態切換え手段によって前記閉じ状態に切り換えれば、前記螺軸は、前記垂直ネジ孔部に螺嵌した状態になり、回転させなければ前記支柱部の二つ割円筒部に対して昇降移動することはない。従って、螺軸を正逆回転操作して、設置用基板部から床材支持部までの高さを微調整し、床材支持部で支持される大引や根太を目的の高さに支持させることが出来る。
【０００７】
上記のように本発明の床材支持装置では、設置用基板部から床材支持部までの高さを、使用する場所での大引や根太の支持高さより若干低い高さに調整するときに、螺軸を多数回手作業で回転操作する必要がなく、単に螺軸を前記支柱部の二つ割円筒部に対して直線状に出し入れするだけで良いので、準備作業が極めて簡単且つ能率良く行える。勿論、床材支持部による大引や根太などの支持高さを微調整する際は、従来通り螺軸を正逆回転操作すれば良く、特別な操作を要するものではない。
【０００８】
上記本発明を実施する場合、具体的には、前記二つ割円筒部状態切換え手段として、前記一対の半円筒状部材の内の一方の半円筒状部材の左右両側辺から他方の半円筒状部材ある側に連設した一対の軸受け板部間に起伏自在に軸支されたカムレバーを設け、このカムレバーには、前記他方の半円筒状部材の表面に隣接するカム面部を設け、前記カムレバーを前記支柱部から横側方に突出する起立姿勢から一定角度だけ下方に倒伏した倒伏姿勢にあるときに、前記カム面部が前記他方の半円筒状部材の表面に圧接して、一対の半円筒状部材を前記閉じ状態に保持するように構成することが出来る。この構成によれば、１つのカムレバーを、その回転中心の周りで回転させて、前記起立姿勢と前記倒伏姿勢の何れかに切り換える操作だけで、上記の螺軸を回転させないで昇降させることが出来る状態と、螺軸を正逆回転操作して床材支持部の高さを微調整出来る状態に切り換えることが出来る。
【０００９】
上記の本発明の構成では、螺軸の弛み止め機能が備わっていない。従って、螺軸の弛み止め機能が必要ならば、螺軸に弛み止めナットを螺嵌させておき、この弛み止めナットを締め付けることにより、螺軸に対する弛み止め効果を得ることが出来るが、本発明では、この従来周知の弛み止めナットを使用しないで螺軸の弛み止め効果を得ることが出来る構成も提案されている。
【００１０】
即ち、前記二つ割円筒部状態切換え手段は、前記一対の半円筒状部材の前記ネジ溝が前記螺軸に圧接して螺軸をロックするロック状態にも切り換え可能に構成することが出来る。この構成によれば、前記一対の半円筒状部材を、前記二つ割円筒部状態切換え手段によって前記ロック状態に切り換えれば、前記一対の半円筒状部材の円弧形内面に形成されているネジ溝を螺軸に圧接し、螺軸が振動などで不測に回転してしまうのを未然に防止し、大引や根太を所定の高さに精度良く支持させておくことが出来る。
【００１１】
上記構成を実施する場合は、前記二つ割円筒部状態切換え手段として、前記一対の半円筒状部材の内の一方の半円筒状部材の左右両側辺から他方の半円筒状部材のある側に連設した一対の軸受け板部間に起伏自在に軸支されたカムレバーを設け、このカムレバーには、前記他方の半円筒状部材の表面に隣接するカム面部を設け、このカム面部には、前記カムレバーの回転中心からの半径が小さい第一カム面と、前記カムレバーの回転中心からの半径が大きい第二カム面とを設け、前記カムレバーを前記支柱部から横側方に突出する起立姿勢から一定角度だけ下方に倒伏した第一倒伏姿勢にあるときには、前記第一カム面が前記他方の半円筒状部材の表面に圧接して、一対の半円筒状部材を前記閉じ状態に保持し、前記カムレバーを前記第一倒伏姿勢から更に下方へ倒伏させた第二倒伏姿勢にあるときには、前記第二カム面が前記他方の半円筒状部材の表面に圧接して、一対の半円筒状部材を前記ロック状態に保持するように構成することが出来る。この構成によれば、１つのカムレバーを、その回転中心の周りで回転させて、前記起立姿勢、前記第一倒伏姿勢、及び前記第二倒伏姿勢の何れかに切り換える操作だけで、上記の螺軸を回転させないで昇降させることが出来る状態と、螺軸を正逆回転操作して床材支持部の高さを微調整出来る状態、及び螺軸を回転不能にロックする状態の内の任意の１つの状態に切り換えることが出来る。
【００１２】
又、前記カムレバーは、天板部と、この天板部から下方へ折曲連設された左右一対の側板部とを有する構造とし、前記カム面部は、前記左右一対の側板部の内端面で構成し、前記他方の半円筒状部材には、前記カムレバーの左右一対の側板部の内端カム面部に隣接する張出し板部を連設することが出来る。この構成によれば、カムレバーからの操作力を、前記一対の半円筒状部材の両側辺に対し、互いに圧接する方向又は逆方向に作用させることが出来、所期の作用を無理なく円滑に行わせることが出来る。
【００１３】
更に、前記支柱部の二つ割円筒部を構成している一対の半円筒状部材は、前記設置用基板部まで延設すると共に、両半円筒状部材が合わさった状態で互いに連結一体化することにより、前記設置用基板部側ほど直径が太くなる円筒状の前記支柱本体部も構成させることが出来る。この構成によれば、一対の半円筒状部材の下端を円筒状部材の上端に接続させる構成と比較して、製造コストを大幅に節減出来るだけでなく、十分な強度を備えた支柱本体部を構成することが出来る。この場合、前記一対の半円筒状部材の下端から互いに遠ざかる水平方向に延出する水平板部を一体に連設し、この一対の半円筒状部材の下端の水平板部によって前記設置用基板部を形成させることが出来る。この構成によれば、別部品となる設置用基板部を前記支柱本体部の下端に固着する構成と比較して、一層のコスト節減を図ることが出来る。又、前記支柱本体部を形成している前記一対の半円筒状部材には、左右両側に延出して互いに対接する張出し側板部を設け、この互いに対接する張出し側板部の内の一方の張出し側板部の側辺には切欠き凹部を形成し、他方の張出し側板部には、前記切欠き凹部に嵌合すると共に前記一方の張出し側板部を挟み込んで固定する折り返し舌片部を連設することが出来る。この構成によれば、前記一対の半円筒状部材を互いに結合一体化するための別部品が不要であり、更なるコスト削減が可能になる。
【図面の簡単な説明】
【００１４】
【図１】図１は、使用状態を示す斜視図である。
【図２】図２は、組立て前の状態を示す分解斜視図である。
【図３】図３Ａは、螺軸を回転させないで昇降させることが出来る状態を示す正面図、図３Ｂは、その一部拡大縦断側面図である。
【図４】図４Ａは、図３Ａに示す状態の横断平面図、図４Ｂは、図３Ｂの要部の拡大図、図４Ｃは同要部のカムレバーの外観を示す一部縦断側面図である。
【図５】図５Ａは、カムレバーを第一倒伏姿勢に切り換えた状態を示す横断平面図、図５Ｂは、同要部の縦断側面図、図５Ｃは同要部のカムレバーの外観を示す一部縦断側面図である。
【図６】図６Ａは、カムレバーを第二倒伏姿勢に切り換えた状態を示す横断平面図、図６Ｂは、同要部の縦断側面図、図６Ｃは同要部のカムレバーの外観を示す一部縦断側面図である。
【図７】図７Ａは、別の実施例を説明する横断平面図、図７Ｂは、同要部の側面図である。
【発明を実施するための形態】
【００１５】
図１において、１は本発明に係る床材支持装置であって、スラブなどの上に設置される設置用基板部２、この設置用基板部２上に立設された支柱部３、この支柱部上端の垂直ネジ孔部に螺嵌される螺軸４、及びこの螺軸４の上端に設けられた床材支持部５を備えている。前記支柱部３は、前記設置用基板部２側の支柱本体部６と、この支柱本体部６の上端から連設された二つ割円筒部７とから構成され、この二つ割円筒部７の状態を切り換える二つ割円筒部状態切換え手段８が併設されている。
【００１６】
図２、図３Ａ、及び図３Ｂに示すように、支柱部３は、互いに重ね合わせられる一対の半円筒状部材９ａ，９ｂから構成され、設置用基板部２は、前記一対の半円筒状部材９ａ，９ｂの下端から互いに遠ざかる水平方向に延出するように一体に連設された水平板部１０ａ，１０ｂによって構成されている。一対の半円筒状部材９ａ，９ｂのそれぞれは、外側に半円形に突曲した半円筒部１１ａ，１１ｂと、各半円筒部１１ａ，１１ｂの両側辺から直径方向両側に一体に連設された張出し側板部１２ａ，１２ｂを備えており、この一対の半円筒状部材９ａ，９ｂの支柱本体部６を構成する下半部は、その半円筒部１１ａ，１１ｂの内径が下端側ほど漸増するように成形されており、張出し側板部１２ａ，１２ｂが互いに重ねられた状態で結合手段１３により結合一体化されて構成される支柱本体部６は、半円筒部１１ａ，１１ｂが互いに同心状に合わさって形成される円筒体が、下端側ほど直径が漸増して太くなるテーパー状となっている。
【００１７】
張出し側板部１２ａ，１２ｂどうしを互いに重ねられた状態で結合する結合手段１３は、一方の張出し側板部１２ａの両側辺の上下二か所に形成された縦長の切欠き凹部１４と、他方の張出し側板部１２ｂの両側辺の上下二か所から一体に連設された巾広の折り返し舌片部１５とから構成されており、図２に示すように、組み立てる前は、各折り返し舌片部１５は、張出し側板部１２ｂと面一に延出した平板状であり、この平板状の舌片部を相手側の切欠き凹部１４に嵌合するようにＵ字形に折り返して、張出し側板部１２ａの外側面に圧接させることにより、当該張出し側板部１２ａを、張出し側板部１２ｂと折り返し舌片部１５とで挟持固定することになる。従って、一対の半円筒状部材９ａ，９ｂは、上下長さ方向にも相対移動出来ない状態で互いに結合一体化されている。
【００１８】
一対の半円筒状部材９ａ，９ｂの二つ割円筒部７を構成する上半部は、図３Ｂに示すように、上端側が互いに離れるように傾斜する状態に成形されている。この二つ割円筒部７を構成する一対の半円筒状部材９ａ，９ｂの半円筒部１１ａ，１１ｂには、その内径が縮小された縮径上端部１６が形成され、この縮径上端部１６と支柱本体部６との間の半円筒部１１ａ，１１ｂの内径は、縮径上端部１６の内径より大きいが、支柱本体部６における半円筒部１１ａ，１１ｂの上端の内径と等しく、一定である。この二つ割円筒部７における半円筒部１１ａ，１１ｂの縮径上端部１６には、その円弧形内面に雌ネジ溝１６ａが刻設され、二つ割円筒部７を弾性に抗して互いに同心状に合わせたとき、両側の半円筒部１１ａ，１１ｂの縮径上端部１６の内側が垂直ネジ孔部１７を形成するように構成されている。
【００１９】
二つ割円筒部状態切換え手段８は、支柱部３の上端部に連設された左右一対の軸受け板部１８間に、水平支軸１９によって上下動自在に軸支されたカムレバー２０によって構成されている。左右一対の軸受け板部１８は、二つ割円筒部７を構成している片側の半円筒状部材９ｂの左右両側辺、即ち、張出し側板部１２ｂにおける左右両側辺の上半部領域から、半円筒状部材９ａのある側へ直角に折曲連設されている。カムレバー２０は、天板部２０ａと左右両側板部２０ｂとから成る断面コ字形のものであり、左右両側板部２０ｂは、このカムレバー２０の軸支端部側ほど高くなる形状のもので、この左右両側板部２０ｂの軸支端部における高さ方向の中間位置に水平支軸１９が貫通している。このカムレバー２０は、左右両側板部２０ｂの軸支端部における、天板部２０ａに対する直角側辺２１が半円筒状部材９ａの張出し側板部１２ａの外側面に当接出来るように、天板部２０ａの前側辺には、半円筒状部材９ａの半円筒部１１ａが入り込める切欠き凹部２０ｃが設けられており、前記のようにこのカムレバー２０の天板部２０ａに対する直角側辺２１が半円筒状部材９ａの張出し側板部１２ａの外側面に隣接するとき、当該カムレバー２０は、図３Ｂ、図４Ｂ、及び図４Ｃに示すように、支柱部３の上端部から横側方に突出する起立姿勢に保持される。
【００２０】
又、カムレバー２０には、その左右両側板部２０ｂの下側辺に第一カム面２２ａと第二カム面２２ｂが形成されている。第一カム面２２ａは、水平支軸１９の直下位置（水平支軸１９の軸心を通り且つ天板部２０ａに対して直角の仮想垂線が通る位置）から直角側辺２１までの、直角側辺２１側ほど天板部２０ａに近づくように傾斜した短い直線状カム面であり、第二カム面２２ｂは、前記第一カム面２２ａからカムレバー２０の遊端側へ、ほぼ天板部２０ａと平行に延びる長い直線状カム面である。而して、短い第一カム面２２ａと水平支軸１９との間の、第一カム面２２ａに対して直角方向の間隔は、直角側辺２１と水平支軸１９との間の、直角側辺２１に対して直角方向の間隔より十分に大きく、長い第二カム面２２ｂと水平支軸１９との間の、第二カム面２２ｂに対して直角方向の間隔は、第一カム面２２ａと水平支軸１９との間の前記間隔よりも更に大きくなっている。これら第一カム面２２ａと水平支軸１９との間の前記間隔や、第二カム面２２ｂと水平支軸１９との間の前記間隔の実際の長さは、後述するようなカムレバー作用が行われるように設定されている。
【００２１】
螺軸４は、二つ割円筒部７を弾性に抗して互いに同心状に合わせたとき、両側の半円筒部１１ａ，１１ｂの縮径上端部１６の内側に形成される垂直ネジ孔部１７に対して螺嵌し得る直径のものであって、その上端には、回転操作用の六角頭部４ａが一体に形成され、この六角頭部４ａには、当該六角頭部４ａの軸心上に中心が位置する球面状頂面４ｂが形成され、更に、当該球面状頂面４ｂの中央から螺軸４の延長方向に円筒状カシメ部４ｃが一体に形成されている。床材支持部５は、中央に下側へ突出するように形成された凹窪部５ａを有する矩形板から構成されたもので、凹窪部５ａの底面中央に、六角頭部４ａの球面状頂面４ｂ上に嵌合当接する凹曲部５ｂが形成され、更に、この凹曲部５ｂの中央に、円筒状カシメ部４ｃの外径より直径の大きな貫通孔５ｃ（図３Ｂ参照）が設けられたものである。従って、凹曲部５ｂの貫通孔５ｃに螺軸４側の円筒状カシメ部４ｃを嵌入させると共に、凹曲部５ｂの内側に突出する円筒状カシメ部４ｃを外側へ広げるようにかしめることにより、螺軸４の六角頭部４ａの上に床材支持部５を取り付けている。尚、カシメ部４ｃは、床材支持部５の上面から突出しないで、凹窪部５ａ内に収まるように構成されている。又、カシメ部４ｃに対するカシメの度合いは、六角頭部４ａに対して床材支持部５を、当該六角頭部４ａの軸心（螺軸４の軸心）の周りに回転させることと、球面状頂面４ｂの中心の周りで３６０度任意の方向に首振り運動させることとを可能にする程度に調整されている。
【００２２】
次に、以上のように構成された床材支持装置１の使用方法と作用について説明すると、図３Ａ〜図４Ｃに示すように、カムレバー２０が図示のように横側方に突出する起立姿勢にあるときは、支柱部３の上半部の二つ割円筒部７における半円筒状部材９ａ，９ｂが上端広がりの状態になっている。従って、当該半円筒状部材９ａ，９ｂにおける半円筒部１１ａ，１１ｂの縮径上端部１６の内側に形成されている雌ネジ溝１６ａは、直径方向に離間した状態にあるから、上端に床材支持部５を備えた螺軸４を、その下端側から二つ割円筒部７内に（挿入する深さによっては、支柱本体部６内に達する）任意の深さまで回転させないで挿入することが出来る。このようにして設置用基板部２から床材支持部５までの間隔を、図１に示す被支持用床材、例えば大引２３の支持高さ程度に調節した状態で、起立姿勢のカムレバー２０を押し下げる。この結果、二つ割円筒部７における半円筒状部材９ａの左右両張出し側板部１２ａに隣接していた直角側辺２１の下端に続く第一カム面２２ａが水平支軸１９の周りに上方へ回動して、半円筒状部材９ａの左右両張出し側板部１２ａを水平支軸１９から離れる方向に押圧することになる。この過程で水平支軸１９に働く外向きの反力によって、カムレバー２０を軸支している側の半円筒状部材９ｂを水平支軸１９に近づく方向に引き寄せることになる。
【００２３】
上記の結果として、図５Ａ〜図５Ｃに示すように、カムレバー２０の第一カム面２２ａの全長が半円筒状部材９ａの左右両張出し側板部１２ａに面接触した状態、即ち、第一倒伏姿勢でカムレバー２０が安定することになり、このとき二つ割円筒部７の半円筒状部材９ａ，９ｂが弾性に抗して互いに接近するように変形しており、当該半円筒状部材９ａ，９ｂにおける半円筒部１１ａ，１１ｂの縮径上端部１６の内側に形成されている雌ネジ溝１６ａが螺軸４の雄ねじ溝に嵌合するので、螺軸４が、二つ割円筒部７の上端の垂直ネジ孔部１７に螺嵌貫通する状態になっている。従って、螺軸４を、その六角頭部４ａを利用して正逆回転操作することにより、支柱部３に対して螺軸４をその軸心方向に任意の長さだけ出し入れして、設置用基板部２に対する床材支持部５の高さを微調整することが出来る。
【００２４】
実際には、大引２３を据え付ける前に、上下逆向きにした大引２３の上面（設置時には下面となる）所定位置に螺軸４の上端の床材支持部５を固着し、カムレバー２０が前記第一倒伏姿勢にある状態で螺軸４を正逆回転操作して、設置用基板部２に対する床材支持部５の高さを微調整する。又、大引２３に床材支持部５を取り付ける際は、設置用基板部２と二つ割円筒部状態切換え手段８を備えた支柱部３を螺軸４から外しておき、螺軸４の上端の床材支持部５を大引２３に取り付けた後に、カムレバー２０を前記起立姿勢にした状態で、螺軸４に支柱部３を外嵌させ、床材支持部５と設置用基板部２との間の間隔を大まかに調整するように、螺軸４の軸方向に支柱部３を移動させ、その後にカムレバー２０を第一倒伏姿勢に切り換えて、螺軸４の正逆回転操作により床材支持部５と設置用基板部２との間の間隔を微調整しても良い。何れにしても、最後に大引２３を上下逆転させて所定位置に架設し、カムレバー２０が第一倒伏姿勢にある状態で、螺軸４の正逆回転操作により床材支持部５と設置用基板部２との間の間隔を、最終的に微調整することが出来る。
【００２５】
上記のように、カムレバー２０を第一倒伏姿勢に切り換えて、螺軸４の正逆回転操作により床材支持部５と設置用基板部２との間の間隔を微調整し終えたならば、最後に第一倒伏姿勢にあるカムレバー２０を更に下方に押し下げる。この結果、図６Ａ〜図６Ｃに示すように、カムレバー２０が支柱部３と平行に垂下して、カムレバー２０の第二カム面２２ｂの全長が半円筒状部材９ａの左右両張出し側板部１２ａに面接触した状態、即ち、第二倒伏姿勢でカムレバー２０が安定することになり、このとき二つ割円筒部７の半円筒状部材９ａ，９ｂが互いに強く押し付け合うことになり、当該半円筒状部材９ａ，９ｂにおける半円筒部１１ａ，１１ｂの縮径上端部１６の内側に形成されている雌ネジ溝１６ａが、螺軸４の雄ねじ溝に直径方向両側から強く圧接して、螺軸４を回転不能にロックするロック状態に切り換わる。従って、このままでは螺軸４を回転操作すること自体が困難な状態となるので、螺軸４が振動などの影響を受けて不測に回転して、設置用基板部２に対する床材支持部５の高さが変動するのを防止出来る。勿論、この螺軸４がロック状態にあっても、設置用基板部２に対する床材支持部５の高さを微調整する必要が生じたときは、第二倒伏姿勢にあるカムレバー２０を上向きに押し上げて第一倒伏姿勢に切り換えれば、螺軸４を正逆回転操作して設置用基板部２に対する床材支持部５の高さを微調整することが容易に行える。
【００２６】
尚、カムレバー２０を使用した二つ割円筒部状態切換え手段８を示したが、二つ割円筒部状態切換え手段８の具体例としては、上記実施例のものに限定されない。例えば、図７Ａ及び図７Ｂに示す楔板利用のものも考えられる。即ち、この実施例の二つ割円筒部状態切換え手段８は、支柱部３の上端部に連設された左右一対の平行両側板部２４間に跨って挿通される楔板２５が使用されている。左右一対の平行両側板部２４は、二つ割円筒部７を構成している片側の半円筒状部材９ｂの左右両側辺、即ち、張出し側板部１２ｂにおける左右両側辺の上半部領域から、半円筒状部材９ａのある側へ直角に折曲連設されたもので、長短２つの楔板挿入孔２６ａ，２６ｂが、支柱部３の長さ方向に対して、同一高さで且つ直角向きに穿設されている。楔板２５は、その小巾端部より、長い方の楔板挿入孔２６ａから短い方の楔板挿入孔２６ｂに跨って挿通されるものであって、楔板挿入孔２６ａ，２６ｂの外端に当接する外側斜辺２５ａには、先の実施例におけるカムレバー２０が第一倒伏姿勢にあるときと同じ作用状態を現出させるための一対の第一作用面２７ａ，２７ｂと、先の実施例におけるカムレバー２０が第二倒伏姿勢にあるときと同じ作用状態を現出させるための一対の第二作用面２８ａ，２８ｂが形成されている。
【００２７】
更に、具体的に説明すると、楔板２５の外側斜辺２５ａにおける第一作用面２７ａ，２７ｂ又は第二作用面２８ａ，２８ｂを楔板挿入孔２６ａ，２６ｂの外端に当接させたとき、楔板２５の内側辺２５ｂは、二つ割円筒部７における張出し側板部１２ａ，１２ｂと平行になり、第一作用面２７ａ，２７ｂを楔板挿入孔２６ａ，２６ｂの外端に当接させたときの楔板２５の内側辺２５ｂの位置に対して、第二作用面２８ａ，２８ｂを楔板挿入孔２６ａ，２６ｂの外端に当接させたときの楔板２５の内側辺２５ｂの位置が、二つ割円筒部７側に近づくように構成されている。又、平行両側板部２４の内側に位置する半円筒状部材９ａにおける張出し側板部１２ａの左右両側辺の上半部領域から、平行両側板部２４の内側に沿って延出する楔板受け板部２９ａ，２９ｂが連設されている。この左右一対の楔板受け板部２９ａ，２９ｂの高さは、中間に位置する半円筒部１１ａの外側頂面の高さと同じであり、楔板２５の内側辺２５ｂをこの左右一対の楔板受け板部２９ａ，２９ｂと半円筒部１１ａの３か所で受け止めるように構成されている。尚、楔板２５には、その小巾端部が楔板挿入孔２６ｂから打ち込み方向とは反対方向に抜け出るのを阻止する抜け止め用ピン３０が取り付けられ、楔板２５の打ち込み量を、楔板挿入孔２６ａに第二作用面２８ａが位置する深さまでに制限するために、第二作用面２８ａの打ち込み方向とは反対側の端に突出段部３１が形成されている。
【００２８】
上記構成の二つ割円筒部状態切換え手段８によれば、図７Ａに仮想線で示すように、抜け止め用ピン３０が楔板挿入孔２６ｂの外側で側板部２４に隣接する非作用位置に楔板２５があるときには、二つ割円筒部７における一対の半円筒状部材９ａ，９ｂが弾性によって互いに離間する方向に離れた状態にあって、螺軸４を二つ割円筒部７内に自由に出し入れすることが出来るが、この状態から楔板２５を、その第一作用面２７ａ，２７ｂが楔板挿入孔２６ａ，２６ｂの外端に当接する第一段階まで打ち込めば、二つ割円筒部７における一対の半円筒状部材９ａ，９ｂが互いに弾性に抗して接近移動して、一対の半円筒状部材９ａ，９ｂにおける半円筒部１１ａ，１１ｂの縮径上端部１６が同心円状に接近し、垂直ネジ孔部１７が形成される。即ち、螺軸４の正逆回転操作により、設置用基板部２に対する床材支持部５の高さの微調整が可能な状態になる。螺軸４を支柱部３に対してロックするときは、楔板２５を、その突出段部３１が楔板挿入孔２６ａ側の側板部２４の外側面に当接する深さまで打ち込んで、楔板挿入孔２６ａ，２６ｂの外端に楔板２５の第二作用面２８ａ，２８ｂを当接させることにより、二つ割円筒部７の一対の半円筒状部材９ａ，９ｂにおける半円筒部１１ａ，１１ｂ、延いては縮径上端部１６の雌ネジ溝１６ａが、螺軸４を直径方向両側から強く圧接挟持して、螺軸４を実質的に回転不能なロック状態とすることが出来る。
【００２９】
尚、基本的には、支柱部３の支柱本体部６は、設置用基板部２上に溶接などにより立設された鋼管などから構成し、この支柱本体部６の上端に、半円筒状部材９ａ，９ｂから上記実施例のように構成された二つ割円筒部７を継ぎ足すように構成することが出来る。又、説明は省略したが、設置用基板部２や床材支持部５には、図示のように、釘、ネジ、アンカーボルトなどを利用する際の取付け孔が設けられている。特に、上記実施例のように螺軸４の上端に床材支持部５を取り付けるときは、床材支持部５を大引２３などの床材に固着した状態でも、螺軸４を自由に回転操作することが出来るし、設置用基板部２が設置されるスラブ面などに対して大引２３などが多少傾斜していても、支障なく当該大引２３などを安定的に支持させることが出来る。
【産業上の利用可能性】
【００３０】
本発明の床材支持装置は、大引や根太などの床下地材やフロアボードなどを支持することが出来る、操作性に優れた手段として活用出来る。
【符号の説明】
【００３１】
１    床材支持装置
２    設置用基板部
３    支柱部
４    螺軸
４ａ    六角頭部
４ｂ    球面状頂面
４ｃ    円筒状カシメ部
５    床材支持部
５ａ    凹窪部
５ｂ    凹曲部
５ｃ    貫通孔
６    支柱本体部
７    二つ割円筒部
８    二つ割円筒部状態切換え手段
９ａ，９ｂ    半円筒状部材
１０ａ，１０ｂ    水平板部
１１ａ，１１ｂ    半円筒部
１２ａ，１２ｂ    張出し側板部
１３    結合手段
１４    切欠き凹部
１５    折り返し舌片部
１６    縮径上端部
１６ａ    雌ネジ溝
１７    垂直ネジ孔部
１８    軸受け板部
１９    水平支軸
２０    カムレバー
２０ａ    天板部
２０ｂ    左右両側板部
２０ｃ    切欠き凹部
２１    直角側辺
２２ａ    第一カム面
２２ｂ    第二カム面
２３    大引
２４    平行両側板部
２５    楔板
２６ａ，２６ｂ    楔板挿入孔
２７ａ，２７ｂ    第一作用面
２８ａ，２８ｂ    第二作用面
２９ａ，２９ｂ    楔板受け板部
３０    抜け止め用ピン
３１    突出段部
【図１】
2018096047.tif 000003
【図２】
2018096047.tif 000004
【図３】
2018096047.tif 000005
【図４】
2018096047.tif 000006
【図５】
2018096047.tif 000007
【図６】
2018096047.tif 000008
【図７】
2018096047.tif 000009